(57)【特許請求の範囲】
【請求項１】
アルコキシシランの加水分解物、該アルコキシシランに対する金属硝酸塩のモル比が０．２〜３である金属硝酸塩及び析出防止剤が有機溶媒に溶解してなる、コーティング剤より得られた乾燥被膜が、紫外線照射により、水に対して不溶化することを利用し、不要部分の被膜を除去することを特徴とするシリカ含有無機酸化物被膜のパターン形成用コーティング剤。
【請求項２】
金属硝酸塩が周期律表の、IIa 族、IIIa族、IVa 族、Va族、IIIb族、IVb 族、Vb族、VIIb族及びVIII族の中から選ばれた少なくとも１種の金属の硝酸塩である請求項１記載のコーティング剤。
【請求項３】
析出防止剤がエチレングリコール、ジメチルフォルムアミド、ジメチルアセトアミド、Ｎ−メチルピロリドン及びそれらの誘導体の中から選ばれた少なくと１種の化合物である請求項１記載のコーティング剤。
【請求項４】
アルコキシシランをＳｉＯ2 、金属硝酸塩を酸化物にそれぞれ換算し、ＳｉＯ2 ＋金属酸化物分を固形分として０．１〜１５重量％含有する請求項１記載のコーティング剤。
【請求項５】
析出防止剤が、金属硝酸塩に対してモル比で１以上含まれる請求項１記載のコーティング剤。
【請求項６】
アルコキシシランの加水分解物、該アルコキシシランに対する金属硝酸塩のモル比が０．２〜３である金属硝酸塩及び析出防止剤が有機溶媒に溶解してなるコーティング剤を基材に塗布し、５０℃以上１００℃以下の温度で乾燥した後、パターンを有するマスクを用いて紫外線を照射し、５０℃以上１００℃以下の温度で乾燥された紫外線未照射部分を水により溶解除去することを特徴とするシリカ含有無機酸化物のパターン形成方法。
【請求項７】
金属硝酸塩が周期律表の、IIa 族、IIIa族、IVa 族、Va族、IIIb族、IVb 族、Vb族、VIIb族及びVIII族の中から選ばれた少なくとも１種の金属の硝酸塩である請求項６記載のシリカ含有無機酸化物のパターン形成方法。
【請求項８】
析出防止剤がエチレングリコール、ジメチルフォルムアミド、ジメチルアセトアミド、Ｎ−メチルピロリドン及びそれらの誘導体の中から選ばれた少なくと１種の化合物である請求項６記載のシリカ含有無機酸化物のパターン形成方法。
【請求項９】
アルコキシシランをＳｉＯ2 、金属硝酸塩を酸化物にそれぞれ換算し、ＳｉＯ2 ＋金属酸化物分を固形分として０．１〜１５重量％含有する請求項６記載のシリカ含有無機酸化物のパターン形成方法。
【請求項１０】
析出防止剤が、金属硝酸塩に対してモル比で１以上含まれる請求項６記載のシリカ含有無機酸化物のパターン形成方法。
【発明の詳細な説明】
【０００１】
【産業上の利用分野】
本発明は、必要とする部分にシリカ含有無機酸化物被膜を形成しうるパターン形成用コーティング剤とそのパターン形成方法に関し、更に詳しくは、コーティング剤より得られた乾燥被膜が、光照射により、水に対して不溶化することを利用し、不要部分の被膜を除去することにより、所望部分にのみシリカ含有無機酸化物被膜を形成しうるパターン形成用コーティング剤及びそのパターニング方法に関する。
【０００２】
【従来の技術】
所望部分にのみ無機被膜を形成させる方法、所謂無機膜のパターニング方法には、スクリーン印刷や転写印刷等の印刷法と、蒸着法、スパッタリング法等で代表される気相法や酸化物被膜形成用コーティング剤を用いる塗布法で全面に無機被膜を形成後、エッチング等の方法により不必要な部分を除去する方法が用いられている。
【０００３】
【発明が解決しようとする課題】
スクリーン印刷法による無機被膜パターン形成法は、特開昭６１−２１５６６８号公報に示される様に、スクリーン印刷適性の問題から、コーティング剤の粘度を上げる目的で、有機高分子化合物が加えられる。パターン印刷後、有機高分子化合物を被膜中から除去する為、高温での焼成が必要となり、印刷される基材がガラス等に限定される。またスクリーン印刷法では、１０μｍ以下のパターンを形成することは困難である。
【０００４】
特開昭６４−２４０２５公報には、フレキソ印刷機を用いる転写印刷法が開示されている。転写印刷法は、低粘度のコーティング剤での塗布が可能であるため、上記、高粘度化の為の有機高分子化合物の添加は不要であるため、比較的低温での焼成が可能である。しかしながら、転写印刷は、ゴム凸版上のコーティング剤を基材に転写する方法であるため、１ｍｍ以下のパターンを形成することは困難であった。
【０００５】
気相法、塗布法で基材表面全面に無機被膜を形成後、不要部分をエッチング除去し、所望部分にのみパターンを形成する方法は、一般的に行われている。この方法は、パターン部分をフォトレジスト等で保護した後、特定の薬剤で不要部分を除去するため、１μｍ以下の微細パターンの形成が可能であるが、レジストの塗布、レジストのパターンニング、無機被膜のエッチング、レジストの除去と工程が長く、複雑である。また、無機被膜をエッチング除去する為の薬剤は、フッ化水素酸の様な毒物や、強アルカリ、酸を用いる為、危険を伴い、廃液の問題があった。
【０００６】
ジャーナルオブノンクリタリンソリッド１００巻５０１頁（１９８８年）にはコーティング剤にポリエチングリコールを添加し、柔軟な乾燥被膜を凹凸を有したスタンプと圧着させることにより、パターンを形成する事が提案されているが、被膜表面に凹凸は形成されるものの、不要部分にも薄い無機被膜が残存してしまうばかりか、添加したポリエチングリコールを、除去する為に、高温での焼成が必要であった。
【０００７】
ジャーナルオブノンクリタリンソリッド１４７、１４８巻４４７頁（１９９２年）には、アルコキシシランの光重合性有機官能基と光重合性有機モノマーの光重合を利用したパターニング方法が提案されているが、被膜に多くの有機物が存在するため、無機被膜本来の耐熱性、耐溶剤性が損なわれる問題があった。
チタニウムやジルコニウムのβ−ジケトン錯体の光硬化性を利用した、無機被膜のパターニング方法が、日本セラミックス協会１９９３年年次大会３Ｈ１５で報告されているが、不要部分の除去には有機溶媒を用いているため、使用できる基材の限定を受け、且つ廃液の問題があった。
【０００８】
高分子学会第１１回無機高分子研究討論会要旨５２頁（１９９２年）には、ターシャリーブトキシシランを含む被膜のパターニングが報告されているが、特殊なアルコキシシシランを用いなければならず、且つアルコキシシランそのものには光硬化性が無いため、光により酸を発生する触媒を添加しなければならず、被膜が汚染される恐れがあった。
【０００９】
本発明の目的は、簡単な方法でシリカ含有無機酸化物被膜よりなるパターン形成ができるコーティング剤及びパターン形成法の提供にある。
【００１０】
【課題を解決するための手段】
即ち、本発明は、アルコキシシランの加水分解物、金属硝酸塩及び析出防止剤が有機溶媒に溶解してなることを特徴とする光によりパターニング可能なシリカ含有無機酸化物被膜形成用コーティング剤に関する。
また、本発明は、上記のシリカ含有無機酸化物被膜形成用コーティング剤を基材に塗布、乾燥した後、光を照射し、光未照射部分を水により溶解除去することを特徴とするパターン形成方法に関する。
【００１１】
以下、本発明を詳細に説明する。本発明のシリカ含有無機酸化物被膜形成用コーティング剤に用いるアルコキシシランとしては、テトラアルコキシシラン類、トリアルコキシシラン類及びジアルコキシシラン類等が挙げられる。
具体的には、テトラアルコキシシラン類としては、テトラメトキシシラン、テトラエトキシシラン、テトラプロポキシシラン及びテトラブトキシシラン等が挙げられる。好ましくは、テトラメトキシシラン、テトラエトキシシラン挙げられる。
【００１２】
トリアルコキシシラン類としては、メチルトリメトキシシラン、メチルトリエトキシシラン、エチルトリメトキシシラン、エチルトリエトキシシラン、プロピルトリメトキシシラン、プロピルトリエトキシシラン、ブチルトリメトキシシラン、ブチルトリエトキシシラン、ペンチルトリメトキシシラン、ペンチルトリエトキシシラン、ヘキシルトリメトキシシラン、ヘキシルトリエトキシシラン、ヘプチルトリメトキシシラン、ヘプチルトリエトキシシラン、オクチルトリメトキシシラン、オクチルトリエトキシシラン、ステアリリルトリメトキシシラン、ステアリリルトリエトキシシラン、ビニルトリメトキシシラン、ビニルトリエトキシシラン、３−クロロプロピルトリメトキシシラン、３−クロロプロピルトリエトキシシラン、３−ヒドロキシプロピルトリメトキシシラン、３−ヒドロキシプロピルトリエトキシシラン、３−グリシドキシプロピルトリメトキシシラン、３−グリシドキシトリエトキシシラン、３−メタクリルオキシトリメトキシシラン、３−メタクリルオキシトリエトキシシラン、フェニルトリメトキシシラン、フェニルトリエトキシシラン、トリフルオロプロピルトリメトキシシラン及びトリフルオロプロピルトリエトキシシラン等が挙げられる。
【００１３】
好ましくは、メチルトリメトキシシラン、メチルトリエトキシシランビニルトリメトキシシラン、ビニルトリエトキシシラン、３−ヒドロキシプロピルトリメトキシシラン、３−ヒドロキシプロピルトリエトキシシラン、３−グリシドキシプロピルトリメトキシシラン、３−グリシドキシトリエトキシシラン、３−メタクリルオキシトリメトキシシラン、３−メタクリルオキシトリエトキシシラン、フェニルトリメトキシシラン、フェニルトリエトキシシラン、トリフルオロプロピルトリメトキシシラン及びトリフルオロプロピルトリエトキシシランが挙げられる。
【００１４】
ジアルコキシシラン類としては、ジメチルジメトキシシラン、ジメチルジエトキシシラン等のジアルコキシシラン類等が挙げられる。
これらの１種又は２種以上用いられる。
本発明の金属硝酸塩は、被膜に光硬化性と水に対する溶解性を付与する目的で用いられるが、金属硝酸塩としては、周期律表の、IIa 族、IIIa族、IVa 族、Va族、IIIb族、IVb 族、Vb族、VIIb族及びVIII族の金属の中から選ばれた少なくとも１種の金属の硝酸塩が挙げられる。好ましくは、バリウム、マグネシウム、アルミニウム、インジウム、ナマリ、ビスマス、イットリウム、セリウム、ニオビウム、タンタリウム、クロミウム、モリブデン、タングステン、マンガン、鉄、コバルト、パラジウム、銅及びカドミウムの硝酸塩が挙げられる。特に好ましくは、アルミニウム、インジュウム、ビスマス、イットリウム、セリウム、クロミウム、タングステン、マンガン、鉄、コバルト、銅及びカドミウムが挙げられる。
【００１５】
上記金属硝酸塩は、上記アルコキシシランに対して、モル比で、０．２〜３の範囲、好ましくは０．３〜２の範囲で用いられる。
本発明に用いられる析出防止剤は、上記金属硝酸塩が、被膜乾燥時、結晶化し被膜表面に析出することを、防ぐ目的で用いられる。析出防止剤としては、エチレングリコール、Ｎ−メチルピロリドン、ジメチルフォルムアミド、ジメチルアセトアミド及びそれらの誘導体が、１種以上用いられ、その使用量は、金属硝酸塩に対して、モル比で少なくとも１以上であり、有機溶媒としても用いることもできる。
【００１６】
本発明のコーティング剤に含まれるアルコキシシランの加水分解物は、アルコキシシランを酸触媒の存在下又は、金属硝酸塩の存在下、有機溶媒中、加水分解することにより得られる。
金属硝酸塩存在下で加水分解される場合、金属硝酸塩が酸性を呈する為、特に酸を新たに加える必要は無い。
【００１７】
アルコキシシランの加水分解は、アルコキシシランの全アルコキシド基のモル数に対して、０．５〜２．５倍モルの水によって行われる。金属硝酸塩が含水塩で有る場合には、その水分も上記加水分解に用いられる水の量に算入される。
金属硝酸塩とアルコキシシランの加水分解物との混合は、上記した如く、アルコキシシランの加水分解時に、混合されていても良いし、アルコキシシランの加水分解終了後、混合しても、何方でも良い。
【００１８】
加水分解の際用いられる有機溶媒の例としては、メタノール、エタノール、プロパノール、ブタノール等のアルコール類、アセトン、メチルエチルケトン等のケトン類、ベンゼン、トルエン、キシレン等の芳香族炭化水素類、エチレングリコール、プロピレングリコール、ヘキシレングリコール等のグリコール類、エチルセロソルブ、ブチルセロソルブ、エチルカルビトール、ブチルカルビトール、ジエチルセロソルブ、ジエチルカルビトール等のグリコールエーテル類、Ｎ−メチルピロリドン、ジメチルフォルムアミド等が挙げられ、それらを１種もしくは２種以上混合して用いられる。
【００１９】
加水分解の為の水の添加は通常室温で行われるが、必要に応じて加熱下に行っても良い。この加水分解の終了によって、本発明のコーティング剤は得られるが、この加水分解の終了後、熟成の目的で５０℃〜１５０℃の温度範囲で加熱しても差し支え無い。また、コーティング剤の高沸点化、高粘度化の目的で、加水分解終了後、副生する低沸点のアルコール類を留去することもできる。
【００２０】
本発明のコーティング剤は、アルコキシシランをＳｉＯ2 、金属硝酸塩を酸化物にそれぞれ換算し、ＳｉＯ2 ＋金属酸化物分を固形分として０．１〜１５重量％、好ましくは１〜１０重量％の範囲に含む様に調整する。
本発明のコーティング剤は、ディッピング、スピンコート、転写印刷、刷毛塗り、ロールコート、スプレー等通常使用される塗布法に適用される。
【００２１】
本発明のコーティング剤には、パターニング性、貯蔵安定性を損なわない範囲で、コロイド状無機粒子、無機微粒子、有機高分子、金属塩化合物、金属アルコキシド等を添加することは問題ない。
本発明のコーティング剤を用いての、無機被膜のパターニング方法は、以下に示す方法で実施される。
【００２２】
コーティング剤を基材に塗布後、５０℃以上１００℃以下の温度で乾燥後、所定のパターンを有するマスクを用いて所望部分にのみ紫外線等の光を照射する。紫外線照射終了後、無機被膜が形成された基材を、水により洗浄する。この段階で、紫外線未照射部分は、水により、溶解、除去され、紫外線が照射された部分にのみ、無機被膜が形成された基材が得られる。パターニング終了後、必要に応じて１００℃以上１１００℃以下の温度で加熱、焼成することは差し支えない。
【００２３】
本発明のコーティング剤を塗布する基材としては、ガラス、セラミックス、金属及びプラスチック等が挙げられる。
【００２４】
【作用】
金属硝酸塩は、アルコキシシランに対してモル比で０．２未満だと、被膜の光硬化性及び光未照射部分の水に対する溶解性が乏しくなり、光照射後の水洗で、不要部分に被膜の残存がおこる。一方、モル比が３を越えると被膜の光硬化性に変化は認められないず、得られる被膜の耐薬品性、機械的強度が低下する。
【００２５】
析出防止剤は、金属硝酸塩に対して、モル比で１未満だと、被膜乾燥時の金属硝酸塩の結晶析出防止効果が少なく、金属硝酸塩の結晶化が起こり、被膜が白濁し均一な被膜が得られない。
加水分解の際に用いられる水は、アルコキシシランの全アルコキシド基に対して、モル比で０．５未満だと、加水分解が不十分となり、アルコキシシランのモノマーが多量に残り、コーティング剤の成膜性が悪くなり、得られる被膜の機械的強度が低下する。反対にモル比が２．５を越えると、コーティング剤の貯蔵安定性が乏しくなり、コーティング剤の粘度増加、ゲル化等を引き起こす。
【００２６】
本発明のコーティング剤は、アルコキシシランをＳｉＯ2 、金属硝酸塩を金属酸化物に換算し、ＳｉＯ2 ＋金属酸化物分が０．１重量％未満だと、塗布により得られる被膜の厚みが薄く、所定の厚みを得るために他数回の塗布が必要となり効率的で無い。一方、１５重量％を越えると、一回の塗布により得られる被膜の厚みが厚くなり、均一な被膜を得ることが困難となり、コーティング剤の貯蔵安定性も乏しくなり、コーティング剤の粘度増加、ゲル化等を引き起こす。
【００２７】
本発明のコーティング剤を基材に塗布後、乾燥は１００℃以下で行われる。１００℃を越える温度で乾燥されると、水に対する溶解性が低下し、紫外線照射後に、紫外線未照射部分の溶解除去が困難となる。
【００２８】
【実施例】
実施例１
テトラエトキシラン１７．２ｇをエタノール５０ｇに溶解混合した溶液に、硝酸アルミニウム９水和物７．７ｇをエチレングリコール５ｇと水４．５ｇとエタノール１５．６ｇに溶解混合した溶液を加え、コーティング剤とした。このコーティング剤を、５０×５０×１．１ｍｍのソーダライムガラス基板上に、４０００ｒｐｍの回転数で２０秒間スピンコートし、ホットプレート上で、８０℃で５分間乾燥した。乾燥後、被膜表面にクロムマスクを密着させ、１０００Ｗの高圧水銀灯で１分間紫外線を照射した。塗膜面の波長３６０ｎｍの紫外線強度は１５０ｍＷ／ｃｍ2 であった（（株）オーク製作所製  ＵＶ−Ｍ０１による測定）。照射終了後、基板を純水に浸漬し、１分間超音波洗浄を行った。洗浄乾燥後の被膜表面を観察した所、紫外線照射部分にのみ、厚さ０．１０μｍの被膜が残っていた。
【００２９】
実施例２
実施例１のエチレングリコールにかわり、Ｎ−メチルピロリドンをもちいた以外は、実施例１と同様にコーティング剤を調整した。このコーティング剤を実施例１と同様に、成膜、ＵＶ照射、水洗を行ったところ、厚さ０．０９μｍのパターンが形成された。
【００３０】
実施例３
実施例１のエチレングリコールにかわり、ジメチルフォルムアミドをもちいた以外は、実施例１と同様にコーティング剤を調整した。このコーティング剤を実施例１と同様に、成膜、ＵＶ照射、水洗を行ったところ、厚さ０．０８μｍのパターンが形成された。
【００３１】
実施例４
実施例１のエチレングリコールにかわり、プロピレングリコールをもちいた以外は、実施例１と同様にコーティング剤を調整した。このコーティング剤を実施例１と同様に、成膜、ＵＶ照射、水洗を行ったところ、厚さ０．１０μｍのパターンが形成された。
【００３２】
実施例５
メチルトリエトキシシラン３．７ｇとγ−グリシドキシプロピルトリメトキシシラン４．９ｇとテトラエトキシシラン８．６ｇをエタノール５０ｇに溶解混合した溶液に、硝酸アルミニウム９水和物７．７ｇをエチレングリコール５ｇと水３．９ｇとエタノール１６．２ｇに溶解混合した溶液を加え、コーティング剤とした。このコーティング剤を、５０×５０×１．１ｍｍのソーダライムガラス基板上に、２０００ｒｐｍの回転数で２０秒間スピンコートし、ホットプレート上で、８０℃で５分間乾燥した。乾燥後、被膜表面にクロムマスクを密着させ、１０００Ｗの高圧水銀灯で１分間紫外線を照射した。照射終了後、基板を純水に浸漬し、１分間超音波洗浄を行った。洗浄乾燥後の被膜表面を観察した所、紫外線照射部分にのみ、厚さ０．８μｍの被膜が残っていた。
【００３３】
実施例５
テトラエトキシラン１４．６ｇをエタノール５０ｇに溶解混合した溶液に、硝酸アルミニウム９水和物１３．２ｇをエチレングリコール５ｇと水３．８ｇとエタノール１３．４ｇに溶解混合した溶液を加え、コーティング剤とした。
このコーティング剤を実施例１と同様に、成膜、ＵＶ照射、水洗を行ったところ、厚さ０．１４μｍのパターンが形成された。
【００３４】
実施例６
テトラエトキシラン１４．６ｇをエタノール５０ｇに溶解混合した溶液に、硝酸インジウム３水和物１３．５ｇをエチレングリコール５ｇと水３．８ｇとエタノール１３．２ｇに溶解混合した溶液を加え、コーティング剤とした。
このコーティング剤を実施例１と同様に、成膜、ＵＶ照射、水洗を行ったところ、厚さ０．１４μｍのパターンが形成された。
【００３５】
実施例７
テトラエトキシラン１４．６ｇをエタノール５０ｇに溶解混合した溶液に、硝酸セリウム６水和物１５．３ｇをエチレングリコール５ｇと水３．８ｇとエタノール１１．４ｇに溶解混合した溶液を加え、コーティング剤とした。
このコーティング剤を実施例１と同様に、成膜、ＵＶ照射、水洗を行ったところ、厚さ０．１４μｍのパターンが形成された。
【００３６】
実施例８
テトラエトキシラン１４．６ｇをエタノール５０ｇに溶解混合した溶液に、硝酸第二鉄９水和物８．５ｇをエチレングリコール５ｇと水３．８ｇとエタノール１５．２ｇに溶解混合した溶液を加え、コーティング剤とした。
このコーティング剤を実施例１と同様に、成膜、ＵＶ照射、水洗を行ったところ、厚さ０．１４μｍのパターンが形成された。
【００３７】
比較例１
テトラエトキシラン２０．８ｇをエタノール５０ｇに溶解混合した溶液に、触媒として硝酸０．１ｇを含む水５．５ｇとエタノール２３．７ｇに溶解混合した溶液を加え、コーティング剤とした。
このコーティング剤を、５０×５０×１．１ｍｍのソーダライムガラス基板上に、２０００ｒｐｍの回転数で２０秒間スピンコートし、ホットプレート上で、８０℃で５分間乾燥した。乾燥後、被膜表面にクロムマスクを密着させ、１０００Ｗの高圧水銀灯で１分間紫外線を照射した。照射終了後、基板を純水に浸漬し、１分間超音波洗浄を行った。洗浄乾燥後の被膜表面を観察した所、紫外線照射部分、未照射部分ともに被膜が残っていた。
【００３８】
【効果】
本発明のコーティング剤は、紫外線等の光により、容易に所望部分にのみ、シリカ含有無機酸化物被膜を形成しうる。
また、光未照射部の溶解除去が、水で行える為、耐薬品性の無い基材にも適用でき、且つ廃液、環境汚染等の問題が無い。